(57)【要約】【課題】セーフティ機能を具備して雌雄部材の確実な連結、容易な切り離し機能を具備した装身用留め金具を提供する。【解決手段】箱状の雌部材１と、該雌部材１内に着脱可能に組み込みされる雄部材２とからなり、前記雌部材１は、上面３に前記雄部材２を組み込んで着脱可能とする切り欠き孔４と、該切り欠き孔４から側面５に前記雄部材２が組み込み時に抜け防止となる大きさの切り欠いた係合孔６と、該係合孔６を設けた側面５に対して交差する方向の側面７に一端に舌状部８と、他端に蝶番部９とその間の横方向に突出する緩衝部１０ａを有して前記切り欠き孔４及び係合孔６をふさぐ方向に回動可能に蝶着される蓋部材１０と、当該側面７と対向する側面１１に前記舌状部８と嵌合し固定できる係合突起部１２とを設けて形成、前記雄部材２は、前記係合孔６の幅より大きくした撞木状の先端部１４を設けて形成、以上の構成からなるものである。【選択図】図１
0003117744.tif 000002
【実用新案登録請求の範囲】
【請求項１】
箱状の雌部材と、該雌部材内に着脱可能に組み込みされる雄部材とからなり、
前記雌部材は、上下面のいずれかに前記雄部材を組み込んで着脱可能とする切り欠き孔と、
該切り欠き孔から側面に前記雄部材が組み込み時に抜け防止となる大きさの切り欠いた係合孔と、
該係合孔を設けた側面に対して交差する方向の側面に、一端に舌状部を、他端に蝶番部を、そして該舌状部と該蝶番部の間の横方向に並列に突出させた緩衝部を有して前記切り欠き孔及び係合孔をふさぐ方向に回動可能に蝶着される蓋部材と、
前記係合孔を設けた側面と対向する側面に前記舌状部と嵌合し固定できる係合突起部とを設けて形成、
前記雄部材は、前記係合孔の幅より大きくした撞木状の先端部を設けて形成、
前記雌部材の切り欠き孔、係合孔より前記雄部材を配置するとともに前記蓋部材の舌状部と前記突起部を嵌合させることにより該雄部材が脱しない連結構造としたことを特徴とする装身用留め金具。
【請求項２】
前記雌部材の上面に前記雄部材を組み込んで着脱可能とする切り欠き孔を設けた場合に、該上面と、前記蓋部材と、前記雄部材に石枠を設けたことを特徴とした請求項１記載の装身用留め金具。
【考案の詳細な説明】
【技術分野】
【０００１】
本考案は、環状装身具の両端に取り付けられる雌雄一対の留め金具に関するものである。
【背景技術】
【０００２】
従来、ネックレスやブレスレット等の環状装身具に多く用いられる留め金具として、ボックス形状の雌金具内に板バネ材を偏平に折り曲げその弾性にて係合させる雄金具を用いた雌雄一対の差込金具が知られているが、長年の使用に対して使用中に板バネに負荷がかかり破損し易い問題があった。
【０００３】
その中で上記問題点を解消しようとする雌雄一対の金具として、
一部を開放したリング状の装身具本体と、この開放端に設けた一対の連結機構とを備えたリング状装身具において、上記一方の連結機構がＴ字状断面のフック部を有し、また他方の連結機構が筒状ハウジングからなり、筒状ハウジングの内周面には上記フック部をはめ込むＴ字状の切欠きが形成され、切欠きの両側にはスライドガイドが設けられており、また筒状ハウジングの開口端部には上記フック部を係合させるストッパが形成されていて、上記フック部を切欠きからはめ込んで筒状ハウジング内を開口端部に向かってスライドさせ、フック部をストッパに係合させて抜け止めするようにした装身具用連結機構がある（例えば特許文献１参照。）。
【０００４】
しかしながら、上記の装身具用連結機構は装身具本体が弾性素材を用いてのみ有効で有り使用方法も限定される欠点がある。
【０００５】
【特許文献１】特開２０００−２８７７２４号公報
【考案の開示】
【考案が解決しようとする課題】
【０００６】
前記事項を鑑み解決しようとする問題点は、セーフティ機能を具備して雌雄部材の確実な連結、容易な切り離し機能を備えるとともに装飾性をも備えた装身用留め金具を提供する。
【課題を解決するための手段】
【０００７】
上記課題を解決するために、請求項１に係る考案は、箱状の雌部材と、該雌部材内に着脱可能に組み込みされる雄部材とからなり、前記雌部材は、上下面のいずれかに前記雄部材を組み込んで着脱可能とする切り欠き孔と、該切り欠き溝から側面に前記雄部材が組み込み時に抜け防止となる大きさの切り欠いた係合孔と、該係合孔を設けた側面に対して交差する方向の側面に、一端に舌状部を、他端に蝶番部を、そして該舌状部と該蝶番部の間の横方向に並列に突出させた緩衝部を有して前記切り欠き孔及び係合孔をふさぐ方向に回動可能に蝶着される蓋部材と、前記係合孔側面と対向する側面に前記舌状部と嵌合し固定できる係合突起部とを設けて形成、前記雄部材は、前記係合孔の幅より大きくした撞木状の先端部を設けて形成、前記雌部材の切り欠き孔、係合孔より前記雄部材を配置するとともに前記蓋部材の舌状部と前記突起部を嵌合させることにより該雄部材が脱しない連結構造としたものである。
【０００８】
また、請求項２に係る考案は、請求項１または請求項２に記載の装身用留め金具において、前記雌部材の上面に前記雄部材を組み込んで着脱可能とする切り欠き孔を設けた場合に、該上面と、前記蓋部材と、前記雄部材に石枠を設けてなるのもである。
【考案の効果】
【０００９】
以上述べたように、雄部材の先端部を係合孔の幅より大きくした撞木状として雌部材と係合し連結するとともに切り欠き孔をふさぐ方向に回動可能に蝶着される蓋部材を設けてセーフティ機能を具備したことにより確実な連結構造の留め具とすることができた。
【００１０】
また、雌部材の蓋部材に設けた緩衝部により、雌雄部材が係合時に、双方間の上下の動きによる不和及び長手方向の動きによる衝突を防止した連結構造となった。
【００１１】
また、多種に於ける環状装身具にも用いることができるとともに連結を取り外すときにも、簡単に取り外すことができ、その使用性は極めて良好であり、更には、部品点数が少なく、部品の組立ても容易なために作業性にも優れた低コストの留め金具となった。
【００１２】
また、宝石を用いた環状装身具と組み合わせた場合、雌部材の上面と、蓋部材と、前雄部材に石枠を設けることにより前記環状装身具と一体とする装飾性をも備えた留め金具となった。
【考案を実施するための最良の形態】
【００１３】
以下、本考案の目的である雌雄部材の確実な連結、容易な切り離し機能を有するとともに装飾性をも備えた実施形態は、図面を用いて詳細に説明する。
【００１４】
図１は、本考案の雌部材１と雄部材２をチェーン１３の両端に取り付けて環状装身具とした実施例を示す斜視図であり、図２（ａ）、（ｂ）は、図１を基にチェーン１３を除いた装身用留め金具を構成する雌部材１と雄部材２の実施例を正面図にて示すものである。
【００１５】
図２（ａ）の雌部材１は、正面、背面、平面、底面、右側面、左側面の６面を有する箱状として、左側面は、チェーン１３の一端が挿入し接合できるようにして、正面（以下、上面３と記述）に雄部材２を組み込み可能とした大きさの切り欠き孔４と、該切り欠き孔４から右側面（以下、側面５と記述）を貫通する係合孔６とを設け、係合孔６は、前記雄部材２が組み込み時に抜け防止となるなる大きさの幅にて切り欠いて設けた。
【００１６】
また、前記係合孔６を設けた前記側面５に対して交差する方向の底面（以下、側面７と記述）に、矩形の板にて一端に舌状部８と他端に蝶番部９と、その間に位置するとともに横方向に当該矩形の板と並列にして突出した緩衝部１０ａを有して前記切り欠き孔４及び係合孔６をふさぐ方向に回動可能に蝶着された蓋部材１０を設けた。
留め金具の緩衝を抑える手段として、本考案の装身用留め金具の緩衝部１０ａは、舌状部８と蝶番部９の間に位置させて横方向に蓋部材１０と並列にして設けたが、蓋部材１０の左側に蓋部材１０の面に対して突出させて設けることで雌部材１と雄部材２の緩衝を抑えることもできる。
【００１７】
さらに前記側面７と対向する平面（以下、側面１１と記述）に前記舌状部８と嵌合し固定できる係合突起部１２を設けて雌部材１を形成した。
今回の実施例においては、上面３に切り欠き孔４及び係合孔６を設けて、切り欠き孔４と係合孔６を蓋部材１０がふさぐ方向に回動可能に蝶着して設けたが限定するものではなく、チェーンに表裏が有る場合には背面（下面）に設けても良い。
【００１８】
図２（ｂ）の雄部材２は、一端の先端部１４を前記係合孔６の幅より大きくした撞木状とし、他端は、チェーン１３の他端を挿入し接合できるように受け部１５を設けて形成した。
【００１９】
図３（ａ）は、雌部材１の上面３に設けた切り欠き孔４、係合孔６より、雄部材２を雌部材１内に配置のみして、まだ、連結状態ではない状態を示す正面図であり、
図３（ｂ）は、前記状態より雄部材２を側面５の方向に少しだけ摺り移動させた状態を正面図で示し、雄部材２の撞木状の先端部１４の一部分である１４ａが雌部材１の上面３の一部分である上面３ａの下に位置させることにより、撞木状の先端部１４は、抜けでようとする上部方向への動きが上面３ａによって阻止される。
【００２０】
図４は、雌部材１と雄部材２とが連結状態となった正面図で示し、図３（ｂ）の状態より、雄部材２の撞木状の先端部１４をさらに側面５に隣接させるように摺り移動させた後、蓋部材１０を切り欠き孔４及び係合孔６をふさぐ方向に回転させて舌状部８と突起部１２を嵌合させるとともに舌状部８と蝶番部９の間の横方向に蓋部材１０と並列に突出させた緩衝部１０ａが雌部材１と雄部材２の間に位置して当該雌雄部材同士の緩衝を防いだ連結状態とすることができた。
【００２１】
図５は、前記雌部材１と雄部材２を基として、装身用留め金具を構成する雌部材１の上面３と、蓋部材１０と、雄部材１とに石枠を設けた実施例を示す斜視図であり、
雌部材１は、石枠１６ｃを長手方向に連結した環状装身具の一端に接続可能として、上面３に石枠１６ａを設けるとともに蓋部材１０に石枠１６を設けた。
【００２２】
また、雄部材２は、石枠１６ｃを長手方向に連結した環状装身具の他端に接続可能となる石枠１６ｂを有する受け部１５を設けた。
実施例においては、宝石を嵌合させる石枠１６、石枠１６ａ、石枠１６ｂを各１個用いたが、石枠を小さくして蓋部材１０に複数個の石枠を設けても良く、それにより、雌部材１の高さを低くすることができる。
【図面の簡単な説明】
【００２３】
【図１】請求項１に係わる装身用留め金具の実施例を示す斜視図である。
【図２】図１の装身用留め金具を構成する雌雄部材の正面図である。
【図３】図２に示した雌雄部材の組み込み過程を示す概念図である。
【図４】前記雌雄部材の連結状態を示す正面図である。
【図５】請求項２に係わる装身用留め金具の実施例を示す斜視図である。
【符号の説明】
【００２４】
１    雌部材
２    雄部材
３    上面
４    切り欠き孔
５    側面
６    係合孔
７    側面
８    舌状部
９    蝶番部
１０    蓋部材
１０ａ  緩衝部
１１    側面
１２    係合突起部
１３    チェーン  
１４    先端部
１５    受け部
１６    石枠
【図１】
0003117744.tif 000003
【図２】
0003117744.tif 000004
【図３】
0003117744.tif 000005
【図４】
0003117744.tif 000006
【図５】
0003117744.tif 000007